(57)【特許請求の範囲】
【請求項１】
無線通信システムにおいて、端末（ＵＥ；ｕｓｅｒ  ｅｑｕｉｐｍｅｎｔ）が実行する方法であって、
前記ＵＥのＲＲＣ（ｒａｄｉｏ  ｒｅｓｏｕｒｃｅ  ｃｏｎｔｒｏｌ）層が、複数のＰＬＭＮ（ｐｕｂｌｉｃ  ｌａｎｄ  ｍｏｂｉｌｅ  ｎｅｔｗｏｒｋ）に対するＳＳＡＣ（ｓｅｒｖｉｃｅ  ｓｐｅｃｉｆｉｃ  ａｃｃｅｓｓ  ｃｏｎｔｒｏｌ）禁止情報を含むシステム情報をｅＮＢ（ｅｖｏｌｖｅｄ  ＮｏｄｅＢ）から受信することと、
前記複数のＰＬＭＮに対する前記ＳＳＡＣ禁止情報は、前記複数のＰＬＭＮのそれぞれに対する禁止要素(ｂａｒｒｉｎｇ  ｆａｃｔｏｒ)についての情報と、前記複数のＰＬＭＮのそれぞれに対する禁止時間（ｂａｒｒｉｎｇ  ｔｉｍｅ）についての情報を含み、
ＰＬＭＮが選択されると、前記ＵＥのＲＲＣ層が、前記複数のＰＬＭＮに対する前記ＳＳＡＣ禁止情報のうち、特定のＰＬＭＮに対するＳＳＡＣ禁止情報を前記ＵＥのＭＭＴＥＬ（ｍｕｌｔｉｍｅｄｉａ  ｔｅｌｅｐｈｏｎｙ）層に伝達することを含み、
前記特定のＰＬＭＮに対する前記ＳＳＡＣ禁止情報は、前記特定のＰＬＭＮに対する禁止要素(ｂａｒｒｉｎｇ  ｆａｃｔｏｒ) についての情報と、前記特定のＰＬＭＮに対する禁止時間（ｂａｒｒｉｎｇ  ｔｉｍｅ）についての情報を含む、方法。
【請求項２】
前記ＵＥの前記ＲＲＣ層が、前記特定のＰＬＭＮに対する前記ＳＳＡＣ禁止情報に関する要求を前記ＵＥの前記ＭＭＴＥＬ層から受信することをさらに含む、請求項１に記載の方法。
【請求項３】
前記システム情報は、ＳＩＢ２（ｓｙｓｔｅｍ  ｉｎｆｏｒｍａｔｉｏｎ  ｂｌｏｃｋ  ｔｙｐｅ−２）である、請求項１に記載の方法。
【請求項４】
前記複数のＰＬＭＮが１つのセルを共有する、請求項１に記載の方法。
【請求項５】
前記特定のＰＬＭＮは、前記ＵＥのＮＡＳ（ｎｏｎ−ａｃｃｅｓｓ  ｓｔｒａｔｕｍ）層により選択される、請求項１に記載の方法。
【請求項６】
前記特定のＰＬＭＮは、Ｒ−ＰＬＭＮ（ｒｅｇｉｓｔｅｒｅｄ  ＰＬＭＮ）である、請求項１に記載の方法。
【請求項７】
前記ＵＥのＲＲＣ層が、サービス要求を前記ＵＥのＮＡＳ層から受信することをさらに含む、請求項１に記載の方法。
【請求項８】
前記ＵＥのＲＲＣ層が、ＡＣＢ（ａｃｃｅｓｓ  ｃｌａｓｓ  ｂａｒｒｉｎｇ）点検を行うことをさらに含む、請求項１に記載の方法。
【請求項９】
前記ＵＥのＲＲＣ層が、前記特定のＰＬＭＮに対するＡＣＢ省略ビットによってＡＣＢ点検の実行を省略することをさらに含む、請求項１に記載の方法。
【請求項１０】
前記ＵＥのＲＲＣ層が、ＲＲＣ連結要求メッセージを前記ｅＮＢに送信することをさらに含む、請求項１に記載の方法。
【請求項１１】
端末（ＵＥ；ｕｓｅｒ  ｅｑｕｉｐｍｅｎｔ）であって、
メモリと、
送受信部と、
プロセッサとを備え、
前記プロセッサは、前記メモリ及び前記送受信部に連結され、
前記ＵＥのＲＲＣ（ｒａｄｉｏ  ｒｅｓｏｕｒｃｅ  ｃｏｎｔｒｏｌ）層が、複数のＰＬＭＮ（ｐｕｂｌｉｃ  ｌａｎｄ  ｍｏｂｉｌｅ  ｎｅｔｗｏｒｋ）に対するＳＳＡＣ（ｓｅｒｖｉｃｅ  ｓｐｅｃｉｆｉｃ  ａｃｃｅｓｓ  ｃｏｎｔｒｏｌ）禁止情報を含むシステム情報をｅＮＢ（ｅｖｏｌｖｅｄ  ＮｏｄｅＢ）から受信するように前記送受信部を制御し、
前記複数のＰＬＭＮに対する前記ＳＳＡＣ禁止情報は、前記複数のＰＬＭＮのそれぞれに対する禁止要素(ｂａｒｒｉｎｇ  ｆａｃｔｏｒ) についての情報と、前記複数のＰＬＭＮのそれぞれに対する禁止時間（ｂａｒｒｉｎｇ  ｔｉｍｅ）についての情報を含み、
ＰＬＭＮが選択されると、前記ＵＥのＲＲＣ層が、前記複数のＰＬＭＮに対する前記ＳＳＡＣ禁止情報のうち、特定のＰＬＭＮに対するＳＳＡＣ禁止情報を前記ＵＥのＭＭＴＥＬ（ｍｕｌｔｉｍｅｄｉａ  ｔｅｌｅｐｈｏｎｙ）層に伝達するように前記送受信部を制御するように構成され、
前記特定のＰＬＭＮに対する前記ＳＳＡＣ禁止情報は、前記特定のＰＬＭＮに対する禁止要素(ｂａｒｒｉｎｇ  ｆａｃｔｏｒ) についての情報と、前記特定のＰＬＭＮに対する禁止時間（ｂａｒｒｉｎｇ  ｔｉｍｅ）についての情報を含む、端末。
【発明の詳細な説明】
【技術分野】
【０００１】
本発明は、無線通信に関し、より詳細には、無線通信システムにおけるネットワーク共有のための接続制御を行う方法及び装置に関する。
【背景技術】
【０００２】
３ＧＰＰ  ＬＴＥは、高速パケット通信を可能にするための技術である。ＬＴＥ目標であるユーザと事業者の費用節減、サービス品質向上、カバレッジ拡張及びシステム容量増大のために多くの方式が提案された。３ＧＰＰ  ＬＴＥは、上位レベル必要条件として、ビット当たり費用節減、サービス有用性向上、周波数バンドの柔軟な使用、簡単な構造、開放型インタフェース及び端末の適切な電力消費を要求する。
【０００３】
特定の状況で、端末（ＵＥ；ｕｓｅｒ  ｅｑｕｉｐｍｅｎｔ）のユーザが接続試み（非常通話試みを含む）をするか、ＰＬＭＮ（ｐｕｂｌｉｃ  ｌａｎｄ  ｍｏｂｉｌｅ  ｎｅｔｗｏｒｋ）の特定の領域内のページに対して反応することを防止するのが好ましい場合がありうる。このような状況は、非常状況であるか、２つまたはそれ以上の共同に位置したＰＬＭＮのうちの１つに異常が発生する場合に生じ得る。セル上でネットワーク接続から禁止された利用者の等級（等）またはカテゴリーを表すセル基盤のブロードキャストメッセージを使用できなければならない。このような機能を使用することにより、重要な条件でネットワーク運営者が接続チャネルの過負荷を防止できるようになる。接続制御は、正常な条件では使用されないようにする。ＣＳ（ｃｉｒｃｕｉｔ−ｓｗｉｔｃｈｅｄ）ドメインとＰＳ（ｐａｃｋｅｔ−ｓｗｉｔｃｈｅｄ）ドメインとの間で互いに異なる接続制御を使用することが可能でなければならない。
【０００４】
様々な接続制御方式が３ＧＰＰ  ＬＴＥ内で定義されることができ、ここには、ＡＣＢ（ａｃｃｅｓｓ  ｃｏｎｔｒｏｌ  ｂａｒｒｉｎｇ）、ＥＡＢ（ｅｘｔｅｎｄｅｄ  ａｃｃｅｓｓ  ｂａｒｒｉｎｇ）、ＳＳＡＣ（ｓｅｒｖｉｃｅ  ｓｐｅｃｉｆｉｃ  ａｃｃｅｓｓ  ｃｏｎｔｒｏｌ）、及びＡＣＤＣ（ａｐｐｌｉｃａｔｉｏｎ  ｓｐｅｃｉｆｉｃ  ｃｏｎｇｅｓｔｉｏｎ  ｃｏｎｔｒｏｌ  ｆｏｒ  ｄａｔａ  ｃｏｍｍｕｎｉｃａｔｉｏｎ）が含まれる。多重ＰＬＭＮが１つのセルを共有するネットワーク共有で、接続制御を行う方法が要求され得る。
【発明の概要】
【発明が解決しようとする課題】
【０００５】
本発明は、無線通信システムにおけるネットワーク共有のための接続制御を行う方法及び装置を提供する。本発明は、ネットワーク共有のためのＡＣＢ（ａｃｃｅｓｓ  ｃｏｎｔｒｏｌ  ｂａｒｒｉｎｇ）及びＳＳＡＣ（ｓｅｒｖｉｃｅ  ｓｐｅｃｉｆｉｃ  ａｃｃｅｓｓ  ｃｏｎｔｒｏｌ）を行うための方法及び装置を提供する。本発明は、特定のＰＬＭＮ（ｐｕｂｌｉｃ  ｌａｎｄ  ｍｏｂｉｌｅ  ｎｅｔｗｏｒｋ）に対する禁止情報を上位層に送信する方法及び装置を提供する。
【課題を解決するための手段】
【０００６】
一態様において、無線通信システムにおける端末（ＵＥ；ｕｓｅｒ  ｅｑｕｉｐｍｅｎｔ）の下位層により禁止情報を送信する方法が提供される。前記方法は、ｅＮＢ（ｅｖｏｌｖｅｄ  ＮｏｄｅＢ）から複数のＰＬＭＮ（ｐｕｂｌｉｃ  ｌａｎｄ  ｍｏｂｉｌｅ  ｎｅｔｗｏｒｋ）に対する禁止情報を含むシステム情報を受信することと、前記複数のＰＬＭＮに対する禁止情報のうち、特定のＰＬＭＮに対する禁止情報を前記ＵＥの上位層に伝達することを含む。
【０００７】
前記方法は、前記上位層から前記特定のＰＬＭＮに対する禁止情報に関する要求（要請）を受信することをさらに含むことができる。
【０００８】
前記下位層は、ＲＲＣ（ｒａｄｉｏ  ｒｅｓｏｕｒｃｅ  ｃｏｎｔｒｏｌ）層でありうる。
【０００９】
前記上位層は、ＭＭＴＥＬ（ｍｕｌｔｉｍｅｄｉａ  ｔｅｌｅｐｈｏｎｙ）層でありうる。
【００１０】
前記禁止情報は、ＳＳＡＣ（ｓｅｒｖｉｃｅ  ｓｐｅｃｉｆｉｃ  ａｃｃｅｓｓ  ｃｏｎｔｒｏｌ）禁止情報でありうる。
【００１１】
前記システム情報は、ＳＩＢ２（ｓｙｓｔｅｍ  ｉｎｆｏｒｍａｔｉｏｎ  ｂｌｏｃｋ  ｔｙｐｅ−２）でありうる。
【００１２】
前記複数のＰＬＭＮが１つのセルを共有できる。
【００１３】
前記特定のＰＬＭＮは、前記上位層により選択されることができる。
【００１４】
前記特定のＰＬＭＮは、Ｒ−ＰＬＭＮ（ｒｅｇｉｓｔｅｒｅｄ  ＰＬＭＮ）でありうる。
【００１５】
前記特定のＰＬＭＮに対する禁止情報は、ＰＬＭＮ選択または再選択、セルでの前記禁止情報のアップデート、或いは前記セルでの前記システム情報アップデートの際に伝達されることができる。
【００１６】
前記方法は、前記ＵＥのＮＡＳ（ｎｏｎ−ａｃｃｅｓｓ  ｓｔｒａｔｕｍ）層からサービス要求を受信することをさらに含むことができる。
【００１７】
前記方法は、ＡＣＢ（ａｃｃｅｓｓ  ｃｌａｓｓ  ｂａｒｒｉｎｇ）点検を行うことをさらに含むことができる。
【００１８】
前記方法は、前記特定のＰＬＭＮに対するＡＣＢ省略ビットによってＡＣＢ点検の実行を省略することをさらに含むことができる。
【００１９】
前記方法は、ＲＲＣ連結要求メッセージを前記ｅＮＢに送信することをさらに含むことができる。
【００２０】
他の態様において、端末（ＵＥ；ｕｓｅｒ  ｅｑｕｉｐｍｅｎｔ）は、メモリ、送受信部、及びプロセッサを備える。前記プロセッサは、下位層で前記メモリ及び前記送受信部に連結され、ｅＮＢ（ｅｖｏｌｖｅｄ  ＮｏｄｅＢ）から複数のＰＬＭＮ（ｐｕｂｌｉｃ  ｌａｎｄ  ｍｏｂｉｌｅ  ｎｅｔｗｏｒｋ）に対する禁止情報を含むシステム情報を受信するように前記送受信部を制御し、前記複数のＰＬＭＮに対する禁止情報のうち、特定のＰＬＭＮに対する禁止情報を前記ＵＥの上位層に伝達するように前記送受信部を制御するように構成される。
【００２１】
互いに異なるＰＬＭＮが互いに異なる混雑制御を効率的に適用できる。
【図面の簡単な説明】
【００２２】
【図１】ＬＴＥシステムの構造を示す。
【図２】一般的なＥ−ＵＴＲＡＮ及びＥＰＣの構造のブロック図である。
【図３】ＬＴＥシステムのユーザ平面プロトコルスタックのブロック図である。
【図４】ＬＴＥシステムの制御平面プロトコルスタックのブロック図である。
【図５】物理チャネル構造の一例を示す。
【図６】本発明の実施形態によってＮＡＳ層でＲ−ＰＬＭＮに対するＡＣＢ省略点検を行う方法の例を見せる。
【図７】本発明の一実施形態によってアプリケーション層でＲ−ＰＬＭＮに対してＡＣＢ省略点検を行う方法の例を見せる。
【図８】本発明の一実施形態によってアプリケーション層でＲ−ＰＬＭＮに対してＳＳＡＣ禁止点検を行う方法の例を見せる。
【図９】本発明の一実施形態によって特定のＰＬＭＮに対する禁止情報を送信する方法の例を見せる。
【図１０】本発明の実施形態が実現される無線通信システムを示す。
【発明を実施するための形態】
【００２３】
以下の技術は、ＣＤＭＡ(ｃｏｄｅ ｄｉｖｉｓｉｏｎ ｍｕｌｔｉｐｌｅ ａｃｃｅｓｓ)、ＦＤＭＡ(ｆｒｅｑｕｅｎｃｙ ｄｉｖｉｓｉｏｎ ｍｕｌｔｉｐｌｅ ａｃｃｅｓｓ)、ＴＤＭＡ(ｔｉｍｅ ｄｉｖｉｓｉｏｎ ｍｕｌｔｉｐｌｅ ａｃｃｅｓｓ)、ＯＦＤＭＡ(ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ)、ＳＣ−ＦＤＭＡ(ｓｉｎｇｌｅ ｃａｒｒｉｅｒ ｆｒｅｑｕｅｎｃｙ ｄｉｖｉｓｉｏｎ ｍｕｌｔｉｐｌｅ ａｃｃｅｓｓ)などのような多様な無線通信システムに使われることができる。ＣＤＭＡは、ＵＴＲＡ(ｕｎｉｖｅｒｓａｌ ｔｅｒｒｅｓｔｒｉａｌ ｒａｄｉｏ ａｃｃｅｓｓ)やＣＤＭＡ２０００のような無線技術で実現されることができる。ＴＤＭＡは、ＧＳＭ(ｇｌｏｂａｌ ｓｙｓｔｅｍ ｆｏｒ ｍｏｂｉｌｅ ｃｏｍｍｕｎｉｃａｔｉｏｎｓ)/ＧＰＲＳ(ｇｅｎｅｒａｌ ｐａｃｋｅｔ ｒａｄｉｏ ｓｅｒｖｉｃｅ)/ＥＤＧＥ(ｅｎｈａｎｃｅｄ ｄａｔａ ｒａｔｅｓ ｆｏｒ ＧＳＭ ｅｖｏｌｕｔｉｏｎ)のような無線技術で実現されることができる。ＯＦＤＭＡは、ＩＥＥＥ(ｉｎｓｔｉｔｕｔｅ ｏｆ ｅｌｅｃｔｒｉｃａｌ ａｎｄ ｅｌｅｃｔｒｏｎｉｃｓ ｅｎｇｉｎｅｅｒｓ)８０２.１１(Ｗｉ−Ｆｉ)、ＩＥＥＥ８０２.１６(ＷｉＭＡＸ)、ＩＥＥＥ８０２.２０、Ｅ−ＵＴＲＡ(ｅｖｏｌｖｅｄ ＵＴＲＡ)などのような無線技術で実現されることができる。ＩＥＥＥ８０２.１６ｍは、ＩＥＥＥ８０２.１６ｅの進化であり、ＩＥＥＥ８０２.１６基盤システムとの後方互換性(ｂａｃｋｗａｒｄ ｃｏｍｐａｔｉｂｉｌｉｔｙ)を提供する。ＵＴＲＡは、ＵＭＴＳ(ｕｎｉｖｅｒｓａｌ ｍｏｂｉｌｅ ｔｅｌｅｃｏｍｍｕｎｉｃａｔｉｏｎｓ ｓｙｓｔｅｍ)の一部である。３ＧＰＰ(３ｒｄ ｇｅｎｅｒａｔｉｏｎ ｐａｒｔｎｅｒｓｈｉｐ ｐｒｏｊｅｃｔ)ＬＴＥ(ｌｏｎｇ ｔｅｒｍ ｅｖｏｌｕｔｉｏｎ)は、Ｅ−ＵＴＲＡ(ｅｖｏｌｖｅｄ−ＵＭＴＳ ｔｅｒｒｅｓｔｒｉａｌ ｒａｄｉｏ ａｃｃｅｓｓ)を使用するＥ−ＵＭＴＳ(ｅｖｏｌｖｅｄ ＵＭＴＳ)の一部であり、ダウンリンクでＯＦＤＭＡを採用し、アップリンクでＳＣ−ＦＤＭＡを採用する。ＬＴＥ−Ａ(ａｄｖａｎｃｅｄ)は、３ＧＰＰ ＬＴＥの進化である。
【００２４】
説明を明確にするために、ＬＴＥ−Ａを中心に記述するが、本発明の技術的思想がこれに制限されるものではない。
【００２５】
図１は、ＬＴＥシステムの構造を示す。通信ネットワークは、ＩＭＳ及びパケットデータを介したインターネット電話(Ｖｏｉｃｅ ｏｖｅｒ ｉｎｔｅｒｎｅｔ ｐｒｏｔｏｃｏｌ：ＶｏＩＰ)のような多様な通信サービスを提供するために広く設置される。
【００２６】
図１を参照すると、ＬＴＥシステム構造は、１つ以上の端末(ＵＥ)１０、Ｅ−ＵＴＲＡＮ(ｅｖｏｌｖｅｄ−ＵＭＴＳ ｔｅｒｒｅｓｔｒｉａｌ ｒａｄｉｏ ａｃｃｅｓｓ ｎｅｔｗｏｒｋ)及びＥＰＣ(ｅｖｏｌｖｅｄ ｐａｃｋｅｔ ｃｏｒｅ)を含む。端末１０は、ユーザにより動く通信装置である。端末１０は、固定されてもよいし、移動性を有してもよく、ＭＳ(ｍｏｂｉｌｅ ｓｔａｔｉｏｎ)、ＵＴ(ｕｓｅｒ ｔｅｒｍｉｎａｌ)、ＳＳ(ｓｕｂｓｃｒｉｂｅｒ ｓｔａｔｉｏｎ)、無線機器(ｗｉｒｅｌｅｓｓ ｄｅｖｉｃｅ)等、他の用語で呼ばれることもある。
【００２７】
Ｅ−ＵＴＲＡＮは１つ以上のｅＮＢ（evolved node-B）２０を含み、１つのセルに複数のＵＥが存在することができる。ｅＮＢ２０は制御平面（control plane）とユーザ平面（user plane）の終端点をＵＥに提供する。ｅＮＢ２０は一般的にＵＥ１０と通信する固定された地点（fixed station）をいい、ＢＳ（base station）、アクセスポイント（access point）など、他の用語で呼ばれることがある。１つのｅＮＢ２０はセル毎に配置できる。
【００２８】
以下、ＤＬはｅＮＢ２０からＵＥ１０への通信を意味し、ＵＬはＵＥ１０からｅＮＢ２０への通信を意味する。ＤＬで送信機はｅＮＢ２０の一部であり、受信機はＵＥ１０の一部でありうる。ＵＬで送信機はＵＥ１０の一部であり、受信機はｅＮＢ２０の一部でありうる。
【００２９】
ＥＰＣはＭＭＥ（mobility management entity）とＳ−ＧＷ（system architecture evolution（SAE）gateway）を含む。ＭＭＥ／Ｓ−ＧＷ３０はネットワークの終端に位置し、外部ネットワークと連結できる。明確性のためにＭＭＥ／Ｓ−ＧＷ３０は“ゲートウェイ”と単純に表現し、これはＭＭＥ及びＳ−ＧＷを全て含むことができる。
【００３０】
ＭＭＥはｅＮＢ２０へのＮＡＳ（non-access stratum）シグナリング、ＮＡＳシグナリング保安、ＡＳ（access stratum）保安制御、３ＧＰＰアクセスネットワーク間の移動性のためのｉｎｔｅｒ ＣＮ（core network）ノードシグナリング、アイドルモード端末到達可能性（ページング再転送の制御及び実行含み）、トラッキング領域リスト管理（アイドルモード及び活性化モードであるＵＥのために）、Ｐ−ＧＷ（PDN（packet data network）gateway）及びＳ−ＧＷ選択、ＭＭＥ変更と共にハンドオーバーのためのＭＭＥ選択、２Ｇまたは３Ｇ ３ＧＰＰアクセスネットワークへのハンドオーバーのためのＳＧＳＮ（serving GPRS support node）選択、ローミング、認証、専用ベアラ設定を含んだベアラ管理機能、ＰＷＳ（public warning system：地震／津波警報システム（ＥＴＷＳ）、及び常用モバイル警報システム（ＣＭＡＳ）含み）メッセージ転送サポートなどの多様な機能を提供する。Ｓ−ＧＷホストは、ユーザ別基盤パケットフィルタリング（例えば、深層パケット検査を通じて）、合法的遮断、端末ＩＰ（internet protocol）アドレス割当、ＤＬで転送レベルパッキングマーキング、ＵＬ／ＤＬサービスレベル課金、ゲーティング及び等級強制、ＡＰＮ−ＡＭＢＲ（access point name aggregate maximum bit rate）に基づいたＤＬ等級強制の各種の機能を提供する。
【００３１】
ユーザトラフィック転送または制御トラフィック転送のためのインターフェースが使用できる。ＵＥ１０及びｅＮＢ２０は、Ｕｕインターフェースにより連結される。ｅＮＢ２０はＸ２インターフェースにより相互間連結される。隣り合うｅＮＢ２０はＸ２インターフェースによる網型ネットワーク構造を有することができる。複数のノードはｅＮＢ２０とゲートウェイ３０との間にＳ１インターフェースを介して連結できる。
【００３２】
図２は、一般的なＥ−ＵＴＲＡＮ及びＥＰＣの構造のブロック図である。図２を参照すると、ｅＮＢ２０はゲートウェイ３０に対する選択、ＲＲＣ（radio resource control）活性（activation）の間ゲートウェイ３０へのルーティング（routing）、ページングメッセージのスケジューリング及び転送、ＢＣＨ（broadcast channel）情報のスケジューリング及び転送、ＵＬ及びＤＬからＵＥ１０への資源の動的割当、ｅＮＢ測定の設定（configuration）及び提供（provisioning）、無線ベアラ制御、ＲＡＣ（radio admission control）及びＬＴＥ活性状態で連結移動性制御機能を遂行することができる。前述したように、ゲートウェイ３０はＥＰＣでページング開始、ＬＴＥアイドル状態管理、ユーザ平面の暗号化、ＳＡＥベアラ制御及びＮＡＳシグナリングの暗号化と無欠性保護機能を遂行することができる。
【００３３】
図３はＬＴＥシステムのユーザ平面プロトコルスタックのブロック図である。図４はＬＴＥシステムの制御平面プロトコルスタックのブロック図である。ＵＥとＥ−ＵＴＲＡＮとの間の無線インターフェースプロトコルの階層は通信システムで広く知られたＯＳＩ（open system interconnection）モデルの下位３個層に基づいて、Ｌ１（第１層）、Ｌ２（第２層）、及びＬ３（第３層）に区分される。
【００３４】
物理層（ＰＨＹ；physical layer）はＬ１に属する。物理層は物理チャンネルを介して上位層に情報転送サービスを提供する。物理層は上位層であるＭＡＣ（media access control）層と転送チャンネル（transport channel）を介して連結される。物理チャンネルは、転送チャンネルにマッピングされる。転送チャンネルを介してＭＡＣ層と物理層との間にデータが転送される。互いに異なる物理層の間、即ち送信機の物理層と受信機の物理層との間にデータは物理チャンネルを介して転送される。
【００３５】
ＭＡＣ層、ＲＬＣ（radio link control）層、及びＰＤＣＰ（packet data convergence protocol）層はＬ２に属する。ＭＡＣ層は、論理チャンネル（logical channel）を介して上位層であるＲＬＣ層にサービスを提供する。ＭＡＣ層は、論理チャンネル上のデータ転送サービスを提供する。ＲＬＣ層は、信頼性あるデータ転送をサポートする。一方、ＲＬＣ層の機能はＭＡＣ層の内部の機能ブロックで実現されることができ、この際、ＲＬＣ層は存在しないこともある。ＰＤＣＰ層は、相対的に帯域幅の小さい無線インターフェース上でＩＰｖ４またはＩＰｖ６のようなＩＰパケットを導入して転送されるデータが効率良く転送されるように不要な制御情報を減らすヘッダー圧縮機能を提供する。
【００３６】
ＲＲＣ（radio resource control）層は、Ｌ３に属する。Ｌ３の最も下端部分に位置するＲＲＣ層はただ制御平面のみで定義される。ＲＲＣ層は、ＲＢ（radio bearer）などの設定（configuration）、再設定（re-configuration）、及び解除（release）と関連して論理チャンネル、転送チャンネル、及び物理チャンネルなどの制御を担当する。ＲＢは、ＵＥとＥ−ＵＴＲＡＮとの間のデータ転送のためにＬ２により提供されるサービスを意味する。
【００３７】
図３を参照すると、ＲＬＣ及びＭＡＣ層（ネットワーク側におけるｅＮＢで終了）は、スケジューリング、ＡＲＱ及びＨＡＲＱのような機能を遂行することができる。ＰＤＣＰ層（ネットワーク側におけるｅＮＢで終了）は、ヘッダー圧縮、無欠性保護、及び暗号化のようなユーザ平面機能を遂行することができる。
【００３８】
図４を参照すると、ＲＬＣ／ＭＡＣ層（ネットワーク側におけるｅＮＢで終了）は、制御平面のために同一な機能を遂行することができる。ＲＲＣ層（ネットワーク側におけるｅＮＢで終了）は、放送、ページング、ＲＲＣ連結管理、ＲＢ制御、移動性機能、及びＵＥ測定報告及び制御のような機能を遂行することができる。ＮＡＳ制御プロトコル（ネットワーク側におけるゲートウェイのＭＭＥで終了）は、ＳＡＥベアラ管理、認証、ＬＴＥ＿ＩＤＬＥ移動性管理、ＬＴＥ＿ＩＤＬＥにおけるページング開始、及びゲートウェイとＵＥとの間のシグナリングのための保安制御などの機能を遂行することができる。
【００３９】
図５は、物理チャンネル構造の一例を示す。物理チャンネルは、無線資源を通じてＵＥの物理層とｅＮＢの物理層との間のシグナリング及びデータを転送する。物理チャンネルは、時間領域で複数のサブフレームと周波数領域で複数の副搬送波で構成される。１ｍｓである１つのサブフレームは、時間領域で複数のシンボルで構成される。該当サブフレームの特定シンボル、例えばサブフレームの第１のシンボルはＰＤＣＣＨのために使用できる。ＰＤＣＣＨは、ＰＲＢ（physical resource block）及びＭＣＳ（modulation and coding schemes）のように動的に割り当てられた資源を運ぶことができる。
【００４０】
ＤＬ転送チャンネルは、システム情報を転送するために使われるＢＣＨ（broadcast channel）、ＵＥをページングするために使われるＰＣＨ（paging channel）、ユーザトラフィックまたは制御信号を転送するために使われるＤＬ−ＳＣＨ（downlink shared channel）、マルチキャストまたはブロードキャストサービス転送のために使われるＭＣＨ（multicast channel）などを含む。ＤＬ−ＳＣＨは、ＨＡＲＱ、変調、コーディング及び転送電力の変化による動的リンク適応及び動的／半静的資源割当をサポートする。また、ＤＬ−ＳＣＨはセル全体にブロードキャスト及びビームフォーミングの使用を可能にすることができる。
【００４１】
ＵＬ転送チャンネルは、一般的にセルへの初期接続のために使われるＲＡＣＨ（random access channel）、ユーザトラフィック、または制御信号を転送するために使われるＵＬ−ＳＣＨ（uplink shared channel）などを含む。ＵＬ−ＳＣＨは、ＨＡＲＱ及び転送電力及び潜在的な変調及びコーディングの変化による動的リンク適応をサポートする。また、ＵＬ−ＳＣＨはビームフォーミングの使用を可能にすることができる。
【００４２】
論理チャンネルは、転送される情報の種類によって、制御平面の情報伝達のための制御チャンネルとユーザ平面の情報伝達のためのトラフィックチャンネルに分類される。即ち、論理チャンネルタイプの集合はＭＡＣ層により提供される互いに異なるデータ転送サービスのために定義される。
【００４３】
制御チャンネルは、制御平面の情報伝達のみのために使われる。ＭＡＣ層により提供される制御チャンネルは、ＢＣＣＨ（broadcast control channel）、ＰＣＣＨ（paging control channel）、ＣＣＣＨ（common control channel）、ＭＣＣＨ（multicast control channel）、及びＤＣＣＨ（dedicated control channel）を含む。ＢＣＣＨは、システム制御情報を放送するためのＤＬチャンネルである。ＰＣＣＨは、ページング情報の転送のためのＤＬチャンネルであり、ネットワークがＵＥのセル単位の位置を知らない時に使われる。ＣＣＣＨは、ネットワークとＲＲＣ連結を有しない時、ＵＥにより使われる。ＭＣＣＨは、ネットワークからＵＥにＭＢＭＳ（multimedia broadcast multicast services）制御情報を転送するために使われる一対多のＤＬチャンネルである。ＤＣＣＨは、ＵＥとネットワークとの間に専用制御情報転送のためにＲＲＣ連結を有するＵＥにより使われる一対一の両方向チャンネルである。
【００４４】
トラフィックチャンネルは、ユーザ平面の情報伝達のみのために使われる。ＭＡＣ層により提供されるトラフィックチャンネルは、ＤＴＣＨ（dedicated traffic channel）及びＭＴＣＨ（multicast traffic channel）を含む。ＤＴＣＨは一対一のチャンネルであって、１つのＵＥのユーザ情報の転送のために使われて、ＵＬ及びＤＬ全てに存在することができる。ＭＴＣＨは、ネットワークからＵＥにトラフィックデータを転送するための一対多のＤＬチャンネルである。
【００４５】
論理チャンネルと転送チャンネルとの間のＵＬ連結は、ＵＬ−ＳＣＨにマッピングできるＤＣＣＨ、ＵＬ−ＳＣＨにマッピングできるＤＴＣＨ、及びＵＬ−ＳＣＨにマッピングできるＣＣＣＨを含む。論理チャンネルと転送チャンネルとの間のＤＬ連結は、ＢＣＨまたはＤＬ−ＳＣＨにマッピングできるＢＣＣＨ、ＰＣＨにマッピングできるＰＣＣＨ、ＤＬ−ＳＣＨにマッピングできるＤＣＣＨ、ＤＬ−ＳＣＨにマッピングできるＤＴＣＨ、ＭＣＨにマッピングできるＭＣＣＨ、及びＭＣＨにマッピングできるＭＴＣＨを含む。
【００４６】
ＲＲＣ状態はＵＥのＲＲＣ層がＥ−ＵＴＲＡＮのＲＲＣ層と論理的に連結されているか否かを指示する。ＲＲＣ状態は、ＲＲＣ連結状態（ＲＲＣ＿ＣＯＮＮＥＣＴＥＤ）及びＲＲＣアイドル状態（ＲＲＣ＿ＩＤＬＥ）のように２種類に分けられる。ＲＲＣ＿ＩＤＬＥで、ＵＥがＮＡＳにより設定されたＤＲＸ（discontinuous reception）を指定する間に、ＵＥはシステム情報及びページング情報の放送を受信することができる。そして、ＵＥはトラッキング領域でＵＥを固有に指定するＩＤ（identification）の割当を受けて、ＰＬＭＮ（public land mobile network）選択及びセル再選択を遂行することができる。またＲＲＣ＿ＩＤＬＥで、いかなるＲＲＣコンテクストもｅＮＢに格納されない。
【００４７】
ＲＲＣ＿ＣＯＮＮＥＣＴＥＤで、ＵＥはＥ−ＵＴＲＡＮでＥ−ＵＴＲＡＮ ＲＲＣ連結及びコンテクストを有して、ｅＮＢにデータを転送及び／又はｅＮＢからデータを受信することが可能である。また、ＵＥはｅＮＢにチャンネル品質情報及びフィードバック情報を報告することができる。ＲＲＣ＿ＣＯＮＮＥＣＴＥＤで、Ｅ−ＵＴＲＡＮはＵＥが属したセルを知ることができる。したがって、ネットワークはＵＥにデータを転送及び／又はＵＥからデータを受信することができ、ネットワークはＵＥの移動性（ハンドオーバー及びＮＡＣＣ（network assisted cell change）を通じてのＧＥＲＡＮ（GSM EDGE radio access network）でｉｎｔｅｒ−ＲＡＴ（radio access technology）セル変更指示）を制御することができ、ネットワークは隣り合うセルのためにセル測定を遂行することができる。
【００４８】
ＲＲＣ＿ＩＤＬＥで、ＵＥはページングＤＲＸ周期を指定する。具体的に、ＵＥはＵＥ特定ページングＤＲＸ周期毎の特定ページング機会（paging occasion）にページング信号をモニターする。ページング機会は、ページング信号が転送される間の時間区間である。ＵＥは、自分だけのページング機会を有している。ページングメッセージは、同一のトラッキング領域（ＴＡ；tracking area）に属する全てのセル上に転送される。ＵＥが１つのＴＡから他のＴＡに移動すれば、ＵＥは自身の位置をアップデートするためにネットワークにＴＡＵ（tracking area update）メッセージを転送することができる。
【００４９】
ＡＣＢ（ａｃｃｅｓｓ  ｃｌａｓｓ  ｂａｒｒｉｎｇ）点検が記述される。これについては、３ＧＰＰ  ＴＳ  ３６．３３１  Ｖ１１．０．０（２０１２−０６）第５．３．３．１１節及び／又は３ＧＰＰ  ＴＳ  ２２．０１１  Ｖ１３．０．０（２０１４−０６）の第４．３．１節を参照できる。ＵＥが無線インターフェース上にわたってシグナリングされるように、許容された等級に該当する少なくとも１つの接続等級の一員であり、接続等級がサービスを提供するネットワークに適用可能な場合には、接続試みが許容される。追加的に、接続ネットワークがＵＴＲＡＮである場合、サービスを提供するネットワークは、接続等級が許容されない場合にもＵＥがページングに応答し、位置登録を行うことが許容されることを表すことができる。そうでない場合には、接続試みが許容されない。また、サービスを提供するネットワークは、共通接続が許容されたにもかかわらず、ＵＥが位置登録を行うことが制限されたことを表すことができる。ＵＥがページングに応答した場合には、通常定義された手順をしたがうようになるはずであり、発生するネットワーク命令に指定されたとおりに反応する。
【００５０】
１＞タイマーＴ３０２または「ＴＢＡＲＲＩＮＧ」が駆動される場合：
【００５１】
２＞前記セルへの接続が禁止されたこととみなす；
【００５２】
１＞そうでない場合、ＳｙｓｔｅｍＩｎｆｏｒｍａｔｉｏｎＢｌｏｃｋＴｙｐｅ２が「ＡＣ禁止パラメータ」を含む場合：
【００５３】
２＞ＵＥが１１．．１５範囲の値を有し、ＵＳＩＭ（ｕｎｉｖｅｒｓａｌ  ｓｕｂｓｃｒｉｂｅｒ  ｉｄｅｎｔｉｆｉｃａｔｉｏｎ  ｍｏｄｕｌｅ）上に格納される１つまたはそれ以上のＡＣを有し、ＵＥに対して使用することが有効な場合（ＡＣ１２、１３、１４は、自国内で使用するときにのみ有効であり、ＡＣ１１、１５は、ＨＰＬＭＮ（ｈｏｍｅ  ＰＬＭＮ）／ＥＨＰＬＭＮ（ｅｑｕｉｖａｌｅｎｔ  ＨＰＬＭＮ）で使用するときに有効である）、
【００５４】
２＞このような有効な接続等級のうち、少なくとも１つに対して「ＡＣ禁止パラメータ」に含まれたａｃ−ＢａｒｒｉｎｇＦｏｒＳｐｅｃｉａｌＡＣ内の当該ビットが０に設定されれば：
【００５５】
３＞前記セルへの接続が禁止されていないこととみなす；
【００５６】
２＞そうでない場合：
【００５７】
３＞次の範囲内で均一に分布する乱数「ｒａｎｄ」を導き出す：０≦ｒａｎｄ＜１；
【００５８】
３＞「ｒａｎｄ」が「ＡＣ禁止パラメータ」に含まれたａｃ−ＢａｒｒｉｎｇＦａｃｔｏｒにより指示される値より低い場合には：
【００５９】
４＞セルへの接続が禁止されていないこととみなす；
【００６０】
３＞そうでない場合：
【００６１】
４＞セルへの接続が禁止されたこととみなす；
【００６２】
１＞そうでない場合：
【００６３】
２＞セルへの接続が禁止されていないこととみなす；
【００６４】
１＞セルへの接続が禁止され、タイマーＴ３０２及び「ＴＢＡＲＲＩＮＧ」両方とも実行されていない場合：
【００６５】
２＞０≦ｒａｎｄ＜１の範囲内で均一に分布する乱数「ｒａｎｄ」を導き出す；
【００６６】
２＞「ＡＣ禁止パラメータ」に含まれたａｃ−ＢａｒｒｉｎｇＴｉｍｅを使用して、タイマー「ＴＢＡＲＲＩＮＧ」を次のように計算されたタイマー値で開始する：
【００６７】
「ＴＢＡＲＲＩＮＧ」＝（０．７＋０．６＊ｒａｎｄ）＊ａｃ−ＢａｒｒｉｎｇＴｉｍｅ。
【００６８】
ＭＭＴＥＬ（ｍｕｌｔｉｍｅｄｉａ  ｔｅｌｅｐｈｏｎｙ）層内のＳＳＡＣ（ｓｅｒｖｉｃｅ  ｓｐｅｃｉｆｉｃ  ａｃｃｅｓｓ  ｃｏｎｔｒｏｌ）が説明される。これに対しては、３ＧＰＰ  ＴＳ  ２４．１７３  Ｖ１１．２．０（２０１２−０３）の付録Ｊ．２．１．１を参照できる。次のような情報が下位層により提供される：
【００６９】
・ＢａｒｒｉｎｇＦａｃｔｏｒＦｏｒＭＭＴＥＬ−Ｖｏｉｃｅ：ＭＭＴＥＬ音声に対する禁止比率；
【００７０】
・ＢａｒｒｉｎｇＴｉｍｅＦｏｒＭＭＴＥＬ−Ｖｏｉｃｅ：ＭＭＴＥＬ音声に対する禁止タイマー；
【００７１】
・ＢａｒｒｉｎｇＦａｃｔｏｒＦｏｒＭＭＴＥＬ−Ｖｉｄｅｏ：ＭＭＴＥＬビデオに対する禁止比率；及び
【００７２】
・ＢａｒｒｉｎｇＴｉｍｅＦｏｒＭＭＴＥＬ−Ｖｉｄｅｏ：ＭＭＴＥＬビデオに対する禁止タイマー。
【００７３】
ユーザからＭＭＴＥＬ通信セッションの確立を要求されるようになると、ＵＥは、次の動作を行うであろう：
【００７４】
１＞確立されるＭＭＴＥＬ通信セッションが非常セッションである場合には、下記のステップを省略し、セッション確立ステップを進行する；
【００７５】
２＞前記言及されたＳＳＡＣ関連情報を下位層から照会する；
【００７６】
３＞マルチメディアテレフォニー通信セッションでビデオが提供される場合：
【００７７】
Ａ＞バックオフ（ｂａｃｋ−ｏｆｆ）タイマーＴｘが実行されている場合、ＭＭＴＥＬ通信セッション確立を拒絶し、以下の残りのステップを省略したり；
【００７８】
Ｂ＞そうでない場合には：
【００７９】
Ｉ＞０≦ｒａｎｄ１＜１の範囲内で均一に分布する新しい乱数「ｒａｎｄ１」を導き出し；
【００８０】
II＞前記乱数「ｒａｎｄ１」がＢａｒｒｉｎｇＦａｃｔｏｒＦｏｒＭＭＴＥＬ−Ｖｉｄｅｏより低い場合には、下記の残りのステップを省略し、セッション確立ステップを進行する；
【００８１】
III＞そうでない場合には；
【００８２】
ｉ＞０≦ｒａｎｄ２＜１の範囲内で均一に分布する新しい乱数「ｒａｎｄ２」を導き出し；
【００８３】
ii＞次の公式を使用して計算されたタイマー値でバックオフ（ｂａｃｋ−ｏｆｆ）タイマーＴｘを実行し：
【００８４】
Ｔｘ＝（０．７＋０．６＊ｒａｎｄ２）＊ＢａｒｒｉｎｇＴｉｍｅＦｏｒＭＭＴＥＬ−Ｖｉｄｅｏ；
【００８５】
iii＞マルチメディアテレフォニー通信セッション確立を拒絶し、以下の残りのステップを省略する；
【００８６】
４＞ＭＭＴＥＬ通信セッション内でオーディオが提供される場合：
【００８７】
Ａ＞バックオフ（ｂａｃｋ−ｏｆｆ）タイマーＴｙが実行されている場合、ＭＭＴＥＬ通信セッション確立を拒絶し、以下の残りのステップを省略したり；
【００８８】
Ｂ＞そうでない場合には；
【００８９】
Ｉ＞０≦ｒａｎｄ３＜１の範囲内で均一に分布する新しい乱数「ｒａｎｄ３」を導き出し；
【００９０】
II＞前記乱数「ｒａｎｄ３」がＢａｒｒｉｎｇＦａｃｔｏｒＦｏｒＭＭＴＥＬ−Ｖｏｉｃｅより低い場合には、下記の残りのステップを省略し、セッション確立ステップを進行する；
【００９１】
III＞そうでない場合には；
【００９２】
ｉ＞０≦ｒａｎｄ３＜１の範囲内で均一に分布する新しい乱数「ｒａｎｄ３」を導き出し；
【００９３】
ii＞次の公式を使用して計算されたタイマー値でタイマーＴｙを実行し：
【００９４】
Ｔｙ＝（０．７＋０．６＊ｒａｎｄ４）＊ＢａｒｒｉｎｇＴｉｍｅＦｏｒＭＭＴＥＬ−Ｖｏｉｃｅ；
【００９５】
iii＞マルチメディアテレフォニー通信セッション確立を拒絶する；
【００９６】
ＭＭＴＥＬ通信実現及び接続層（ｓｔｒａｔｕｍ）プロトコル実現が別の物理的個体に位置する場合には、相互連結プロトコルがＳＳＡＣの施行のために、情報要素の送信を支援することが期待される。
【００９７】
ＵＥが他の無線接続（例えば、ＵＴＲＡＮ／ＧＥＲＡＮ）にあるときはＳＳＡＣが活性化されない。また、Ｅ−ＵＴＲＡＮ上のＵＥキャンプが他の無線接続（例えば、ＵＴＲＡＮ／ＧＥＲＡＮ）に移していく場合、バックオフ（ｂａｃｋ−ｏｆｆ）タイマー（ＴｘまたはＴｙ或いは２つとも）が実行されているときは、これを中止させなければならない。
【００９８】
ＳＳＡＣ関連パラメータの処理が記述される。これに対しては、３ＧＰＰ  ＴＳ  ３６．３３１  Ｖ１１．０．０（２０１２−０６）の第５．３．３．１０節を参照できる。上位層からの要求があれば、ＵＥは、次の動作を行うようになるであろう：
【００９９】
１＞地域変数ＢａｒｒｉｎｇＦａｃｔｏｒＦｏｒＭＭＴＥＬ−Ｖｏｉｃｅ及びＢａｒｒｉｎｇＴｉｍｅＦｏｒＭＭＴＥＬ−Ｖｏｉｃｅを次のように設定する：
【０１００】
２＞ＵＥがＲＲＣ＿ＩＤＬＥ状態にあり、ｓｓａｃ−ＢａｒｒｉｎｇＦｏｒＭＭＴＥＬ−Ｖｏｉｃｅが存在する場合：
【０１０１】
３＞ＵＥが使用するのに有効な１１．．１５範囲の値を有し、ＵＳＩＭに格納される１つまたはそれ以上の接続等級（ＡＣ）を有する場合（ＡＣ１２、１３、１４は、自国内の使用に対してのみ有効であり、ＡＣ１１、１５は、ＨＰＬＭＮ／ＥＨＰＬＭＮでの使用でのみ有効である）、及び
【０１０２】
３＞このような接続等級のうち、少なくとも１つに対して、ｓｓａｃ−ＢａｒｒｉｎｇＦｏｒＭＭＴＥＬ−Ｖｏｉｃｅ内に含まれたａｃ−ＢａｒｒｉｎｇＦｏｒＳｐｅｃｉａｌＡＣの当該ビットが０に設定された場合：
【０１０３】
４＞ＢａｒｒｉｎｇＦａｃｔｏｒＦｏｒＭＭＴＥＬ−Ｖｏｉｃｅを１に、ＢａｒｒｉｎｇＴｉｍｅＦｏｒＭＭＴＥＬ−Ｖｏｉｃｅを０に設定；
【０１０４】
３＞そうでない場合：
【０１０５】
４＞ＢａｒｒｉｎｇＦａｃｔｏｒＦｏｒＭＭＴＥＬ−Ｖｏｉｃｅ及びＢａｒｒｉｎｇＴｉｍｅＦｏｒＭＭＴＥＬ−Ｖｏｉｃｅをｓｓａｃ−ＢａｒｒｉｎｇＦｏｒＭＭＴＥＬ−−Ｖｏｉｃｅ内に含まれたａｃ−ＢａｒｒｉｎｇＦａｃｔｏｒ及びａｃ−ＢａｒｒｉｎｇＴｉｍｅの値に各々設定；
【０１０６】
２＞そうでない場合、ＢａｒｒｉｎｇＦａｃｔｏｒＦｏｒＭＭＴＥＬ−Ｖｏｉｃｅを１に、ＢａｒｒｉｎｇＴｉｍｅＦｏｒＭＭＴＥＬ−Ｖｏｉｃｅを０に設定；
【０１０７】
１＞地域変数ＢａｒｒｉｎｇＦａｃｔｏｒＦｏｒＭＭＴＥＬ−Ｖｉｄｅｏ及びＢａｒｒｉｎｇＴｉｍｅＦｏｒＭＭＴＥＬ−Ｖｉｄｅｏを次のように設定：
【０１０８】
２＞ＵＥがＲＲＣ＿ＩＤＬＥ状態にあり、ｓｓａｃ−ＢａｒｒｉｎｇＦｏｒＭＭＴＥＬ−Ｖｉｄｅｏが存在する場合：
【０１０９】
３＞ＵＥが、ＵＥで使用するのに有効な１１．．１５範囲の値を有し、ＵＳＩＭに格納される１つまたはそれ以上の接続等級を有する場合、及び
【０１１０】
３＞このような接続等級のうち、少なくとも１つに対して、ｓｓａｃ−ＢａｒｒｉｎｇＦｏｒＭＭＴＥＬ−Ｖｉｄｅｏ内に含まれたａｃ−ＢａｒｒｉｎｇＦｏｒＳｐｅｃｉａｌＡＣの当該ビットが０に設定された場合：
【０１１１】
４＞ＢａｒｒｉｎｇＦａｃｔｏｒＦｏｒＭＭＴＥＬ−Ｖｉｄｅｏを１に、ＢａｒｒｉｎｇＴｉｍｅＦｏｒＭＭＴＥＬ−Ｖｉｄｅｏを０に設定；
【０１１２】
３＞そうでない場合：
【０１１３】
４＞ＢａｒｒｉｎｇＦａｃｔｏｒＦｏｒＭＭＴＥＬ−Ｖｉｄｅｏ及びＢａｒｒｉｎｇＴｉｍｅＦｏｒＭＭＴＥＬ−Ｖｉｄｅｏをｓｓａｃ−ＢａｒｒｉｎｇＦｏｒＭＭＴＥＬ−Ｖｉｄｅｏ内に含まれたａｃ−ＢａｒｒｉｎｇＦａｃｔｏｒ及びａｃ−ＢａｒｒｉｎｇＴｉｍｅの値に各々設定；
【０１１４】
２＞そうでない場合、ＢａｒｒｉｎｇＦａｃｔｏｒＦｏｒＭＭＴＥＬ−Ｖｉｄｅｏを１に、ＢａｒｒｉｎｇＴｉｍｅＦｏｒＭＭＴＥＬ−Ｖｉｄｅｏを０に設定；
【０１１５】
１＞変数ＢａｒｒｉｎｇＦａｃｔｏｒＦｏｒＭＭＴＥＬ−Ｖｏｉｃｅ、ＢａｒｒｉｎｇＴｉｍｅＦｏｒＭＭＴＥＬ−Ｖｏｉｃｅ、ＢａｒｒｉｎｇＦａｃｔｏｒＦｏｒＭＭＴＥＬ−Ｖｉｄｅｏ、及びＢａｒｒｉｎｇＴｉｍｅＦｏｒＭＭＴＥＬ−Ｖｉｄｅｏを上位層に伝達；
【０１１６】
ＳｙｓｔｅｍＩｎｆｏｒｍａｔｉｏｎＢｌｏｃｋＴｙｐｅ２  ＩＥ（ｉｎｆｏｒｍａｔｉｏｎ  ｅｌｅｍｅｎｔ）（以下、ＳＩＢ２という）は、全てのＵＥに共通の無線資源設定情報を含む。表１は、ＳＩＢ２の例を見せる。ＳＩＢ２は、前記説明されたＡＣＢとＳＳＡＣに対するパラメータを含む。
【０１１７】
【表１−１】
0006522733.tif 000002
【表１−２】
0006522733.tif 000003
【０１１８】
表１を参照すれば、ａｃ−ＢａｒｒｉｎｇＦａｃｔｏｒフィールドは、ＡＣＢに対する参照を表す。ＵＥにより導き出された乱数がこの値より低いときには接続が許容される。そうでない場合には接続が禁止される。ａｃ−ＢａｒｒｉｎｇＦｏｒＣＳＦＢフィールドは、ＭＯ（ｍｏｂｉｌｅ  ｏｒｉｇｉｎａｔｉｎｇ）  ＣＳ（ｃｉｒｃｕｉｔ−ｓｗｉｔｃｈ）フォールバック（ｆａｌｌｂａｃｋ）に対するＡＣＢを表す。ａｃ−ＢａｒｒｉｎｇＦｏｒＥｍｅｒｇｅｎｃｙフィールドは、ＡＣ  １０に対するＡＣＢを表す。ａｃ−ＢａｒｒｉｎｇＦｏｒＭＯ−Ｄａｔａフィールドは、ＭＯ通話に対するＡＣＢを表す。ａｃ−ＢａｒｒｉｎｇＦｏｒＭＯ−Ｓｉｇｎａｌｌｉｎｇフィールドは、ＭＯシグナリングに対するＡＣＢを表す。ａｃ−ＢａｒｒｉｎｇＦｏｒＳｐｅｃｉａｌＡＣフィールドは、ＡＣ  １１−１５に対するＡＣＢを表す。最初／最上位ビットは、ＡＣ  １１に対するものであり、２番目のビットは、ＡＣ  １２に対するものであり、以下、同じ方式である。ａｃ−ＢａｒｒｉｎｇＴｉｍｅフィールドは、接続禁止時間値を秒単位で表す。ｓｓａｃ−ＢａｒｒｉｎｇＦｏｒＭＭＴＥＬ−Ｖｉｄｅｏフィールドは、ＭＭＴＥＬビデオ由来通話に対するＳＳＡＣを表す。ｓｓａｃ−ＢａｒｒｉｎｇＦｏｒＭＭＴＥＬ−Ｖｏｉｃｅフィールドは、ＭＭＴＥＬ音声由来通話に対するＳＳＡＣを表す。
【０１１９】
追加的に、ＳＩＢ２は、３ビットのＡＣＢ省略ビットをさらに含むことができる。ＡＣＢ省略ビットの最初のビットは、ＭＭＴＥＬ音声通話がＵＥから開始された場合に、ＡＣＢを省略するか否かを表すことができる。ＡＣＢ省略ビットの２番目のビットは、ＭＭＴＥＬビデオ通話がＵＥから開始された場合に、ＡＣＢを省略するか否かを表すことができる。ＡＣＢ省略ビットの３番目のビットは、ＳＭＳ（ｓｈｏｒｔ  ｍｅｓｓａｇｅ  ｓｅｒｖｉｃｅ）がＵＥから開始された場合に、ＡＣＢを省略するか否かを表すことができる。より特定的に、ネットワークがＭＭＴＥＬ音声に対してＡＣＢが省略されたことを表す場合に、ＵＥのＲＲＣ層は、ＵＥのＮＡＳ層からＭＯ  ＭＭＴＥＬ音声に対するサービス要求メッセージを受信してから、ＲＲＣ連結要求メッセージをネットワークに送る前にＡＣＢ点検を省略できる。ネットワークがＭＭＴＥＬビデオに対してＡＣＢが省略されたことを表す場合に、ＵＥのＲＲＣ層は、ＵＥのＮＡＳ層からＭＯ  ＭＭＴＥＬビデオに対するサービス要求メッセージを受信してから、ＲＲＣ連結要求メッセージを送る前にＡＣＢ点検を省略できる。ネットワークがＳＭＳに対してＡＣＢが省略されたことを表す場合に、ＵＥのＲＲＣ層は、ＵＥのＮＡＳ層からＭＯ  ＳＭＳに対するサービス要求メッセージを受信してから、ＲＲＣ連結要求メッセージを送る前にＡＣＢ点検を省略できる。
【０１２０】
ＡＣＤＣ（ａｐｐｌｉｃａｔｉｏｎ  ｓｐｅｃｉｆｉｃ  ｃｏｎｇｅｓｔｉｏｎ  ｃｏｎｔｒｏｌ  ｆｏｒ  ｄａｔａ  ｃｏｍｍｕｎｉｃａｔｉｏｎ）が記述される。ＡＣＤＣは、ＵＥ内の事業者により識別された特別なアプリケーションからの新しい接続試みを許容／防止するための、事業者のための接続制御方式である。ネットワークは、接続ネットワーク及び／又はコアネットワークの過負荷を予防／緩和できるであろう。このような特徴は選択的である。ＡＣＤＣに対し、次のような要件が適用され得る：
【０１２１】
・このような特徴は、ＵＴＲＡＮ及びＥ−ＵＴＲＡＮに適用できるようになるであろう。
【０１２２】
・このような特徴は、１つまたはそれ以上の接続等級１１ないし１５の一員でないＵＥに適用できるようになるであろう。
【０１２３】
・ホームネットワークは、ＵＥを多重ＡＣＤＣカテゴリーとして設定できるようになるであろうし、これらの各々で運営者が識別した特別なアプリケーションが連関され得る。前記カテゴリーは、重要度の順に順位が付けられるようになるであろう。
【０１２４】
・サービスを提供するネットワークは、１つまたはそれ以上のＲＡＮ領域で、例えば、禁止比率を表す各ＡＣＤＣカテゴリー別制御情報、またはローミングＵＥがＡＣＤＣ制御を受けなければならないか否かをブロードキャストできるようになるであろう。
【０１２５】
・ＵＥは、ブロードキャスト制御情報及びＵＥ内カテゴリーの構成に基づいて特定のアプリケーションに対する接続試みが許容されるか否かを制御できるようになるであろう。
【０１２６】
・サービスを提供するネットワークは、接続制御の他の形態としてＡＣＤＣを同時に表すことができるようになるであろう。
【０１２７】
・ＡＣＤＣ及びＡＣＢ制御の両方が指示されれば、ＡＣＤＣがＡＣＢを代替（ｏｖｅｒｒｉｄｅ）するようになるであろう。
【０１２８】
−多重のコアネットワークが同じ接続ネットワークを共有する場合、接続ネットワークは、互いに異なるネットワークに対してＡＣＤＣを個別に適用できるようになるであろう。共有されたＲＡＮでの混雑を緩和するために、禁止比率が全ての参加運営者に対して同等に設定されるべきであろう。
【０１２９】
先行技術によれば、セルは、ＡＣＢ禁止情報及びＳＳＡＣ禁止情報を表１に説明されたシステム情報を介してブロードキャストする。現在、ＡＣＢ禁止情報及びＳＳＡＣ禁止情報は、全てのＰＬＭＮに対して共通である。一方、多重ＰＬＭＮが１つのセルを共有するネットワーク共有が導入され得るであろう。このような場合、互いに異なるＰＬＭＮが他のＡＣＢ禁止情報及び／又はＳＳＡＣ禁止情報を適用するのを望むことがある。しかし、これは現在可能でない。
【０１３０】
前記記述された問題点を解決するために、本発明の一実施形態によってネットワーク共有に対する接続制御を行う方法が以下において記述される。本発明の一実施形態によれば、ＵＥは、下位層、すなわち、ＲＲＣ層でセルを共有する全てのＰＬＭＮに対してＰＬＭＮ別に禁止情報を受信できる。ＵＥは、Ｒ−ＰＬＭＮ（ｒｅｇｉｓｔｅｒｅｄ  ＰＬＭＮ）に該当する前記受信された禁止情報を上位層、すなわち、ＮＡＳ層またはアプリケーション層（例えば、ＭＭＴＥＬ層）に伝達することができる。ＵＥは、Ｒ−ＰＬＭＮに該当する前記受信された禁止情報をシステム情報または禁止情報のアップデート、或いはＰＬＭＮ変化時に上位層に再度伝達することができる。
【０１３１】
図６は、本発明の実施形態によってＮＡＳ層でＲ−ＰＬＭＮに対するＡＣＢ省略点検を行う方法の例を見せる。
【０１３２】
ステップＳ１００において、前記ＵＥは、セル上にキャンプ−オンする。ＵＥのＲＲＣ層は、セルを共有する全てのＰＬＭＮに対するＰＬＭＮ別ＡＣＢ禁止情報及びＰＬＭＮ別ＡＣＢ省略ビットを含むシステム情報を受信する。ステップＳ１１０において、ＵＥのＲＲＣ層は、ＵＥのＮＡＳ層からＲ−ＰＬＭＮに対する禁止情報に関する要求を受信できる。
【０１３３】
ステップＳ１２０において、ＵＥのＲＲＣ層は、ＵＥのＮＡＳ層からＰＬＭＮ識別子とともに要求を受信するとき、ＰＬＭＮ（再）選択時、セルでのＡＣＢ省略ビットのアップデート時、またはセルでのシステム情報のアップデート時に、セルを共有する全てのＰＬＭＮに対するＰＬＭＮ別に受信された前記ＡＣＢ省略ビットをＵＥのＮＡＳ層に伝達する。他の方法として、ＵＥのＲＲＣ層は、ＵＥのＮＡＳ層からＰＬＭＮ識別子とともに要求を受信するとき、ＰＬＭＮ（再）選択時、セルでのＡＣＢ省略ビットのアップデート時、またはセルでのシステム情報のアップデート時に、Ｒ−ＰＬＭＮを点検してＲ−ＰＬＭＮに対してのみ前記受信されたＡＣＢ省略ビットをＵＥのＮＡＳ層に伝達することができる。
【０１３４】
ステップＳ１３０において、ＵＥのＮＡＳ層は、ＭＭＴＥＬ音声、ＭＭＴＥＬビデオ、またはＳＭＳのように特定のサービス／アプリケーションに対する上位層、すなわち、アプリケーション層からサービス開始を受信する。ステップＳ１４０において、ＵＥのＮＡＳ層は、伝達されたＡＣＢ省略ビットのうち、Ｒ−ＰＬＭＮに該当するＡＣＢ省略ビットを使用してＡＣＢ点検を省略するか否かを決定する。ステップＳ１５０において、ＵＥのＮＡＳ層がＡＣＢ点検を省略することと決定する場合、ＵＥのＮＡＳ層は、ＵＥのＲＲＣ層にＡＣＢ点検が省略されるべきであるということをＳＲ（ｓｅｒｖｉｃｅ  ｒｅｑｕｅｓｔ）を介して知らせる。
【０１３５】
ステップＳ１６０において、ＵＥのＲＲＣ層は、これによりＡＣＢ点検を省略する。ステップＳ１７０において、ＵＥのＲＲＣ層は、ＲＲＣ連結要求メッセージをｅＮＢに送信する。
【０１３６】
図７は、本発明の一実施形態によってアプリケーション層でＲ−ＰＬＭＮに対してＡＣＢ省略点検を行う方法の例を見せる。
【０１３７】
ステップＳ２００において、ＵＥは、セル上にキャンプ−オンする。ＵＥのＲＲＣ層は、セルを共有する全てのＰＬＭＮに対してＰＬＭＮ別ＡＣＢ禁止情報及びＰＬＭＮ別ＡＣＢ省略ビットを含むシステム情報を受信する。ステップＳ２１０において、ＵＥのＲＲＣ層は、禁止情報に対する要求をＵＥのアプリケーション層から受信することができる。
【０１３８】
ステップＳ２２０において、ＵＥのＲＲＣ層は、ＵＥのアプリケーション層から要求を受信するとき、ＰＬＭＮ（再）選択時、セルでのＡＣＢ省略ビットのアップデート時、またはセルでのシステム情報のアップデート時に、受信されたＲ−ＰＬＭＮに対するＡＣＢ省略ビットをＵＥのＭＭＴＥＬ層のようなアプリケーション層に伝達する。他の方法として、ＵＥのＲＲＣ層は、ＵＥのアプリケーション層から要求を受信するとき、ＰＬＭＮ（再）選択時、セルでのＡＣＢ省略ビットのアップデート時、またはセルでのシステム情報のアップデート時に、セルを共有する全てのＰＬＭＮに対してＰＬＭＮ別に前記受信されたＡＣＢ省略ビットをＵＥのアプリケーション層に伝達し、Ｒ−ＰＬＭＮを表すことができる。
【０１３９】
ステップＳ２３０において、ＵＥのアプリケーション層は、ＭＭＴＥＬ音声、ＭＭＴＥＬビデオ、またはＳＭＳのような特定のサービス／アプリケーションに対するサービス開始を探知する。ステップＳ２４０において、ＵＥのアプリケーション層は、（ＡＣＢ省略ビットの内で）Ｒ−ＰＬＭＮに該当するＡＣＢ省略ビットを使用してＡＣＢ点検を省略するか否かを決定する。ステップＳ２５０において、ＵＥのアプリケーション層がＡＣＢ点検を省略することと決定する場合、ＵＥのアプリケーション層は、ＵＥのＮＡＳ／ＲＲＣ層にＡＣＢ点検が省略されるべきであるということをＳＲを介して知らせる。その後、ＵＥのＮＡＳ層は、さらにＵＥのＲＲＣ層にＡＣＢ点検が省略されるべきであるということを知らせる。
【０１４０】
ステップＳ２６０において、ＵＥのＲＲＣ層は、これによりＡＣＢ点検を省略する。ステップＳ２７０において、ＵＥのＲＲＣ層は、ＲＲＣ連結要求メッセージをｅＮＢに送信する。
【０１４１】
図８は、本発明の一実施形態によってアプリケーション層でＲ−ＰＬＭＮに対してＳＳＡＣ禁止点検を行う方法の例を見せる。
【０１４２】
ステップＳ３００において、ＵＥは、セル上にキャンプ−オンする。ＵＥのＲＲＣ層は、セルを共有する全てのＰＬＭＮに対するＰＬＭＮ別ＳＳＡＣ禁止情報を含むシステム情報を受信する。ステップＳ３１０において、ＵＥのＲＲＣ層は、ＵＥのＭＭＴＥＬ層から禁止情報に対する要求を受信する。
【０１４３】
ステップＳ３２０において、ＵＥのＲＲＣ層は、ＵＥのＭＭＴＥＬ層から要求を受信するとき、ＰＬＭＮ（再）選択時、セルでのＡＣＢ省略ビットのアップデート時、またはセルでのシステム情報のアップデート時に、受信されたＲ−ＰＬＭＮに対するＳＳＡＣ禁止情報をＵＥのＭＭＴＥＬ層に伝達する。他の方法として、ＵＥのＲＲＣ層は、ＵＥのＭＭＴＥＬ層から要求を受信するとき、ＰＬＭＮ（再）選択時、セルでのＳＳＡＣ禁止情報のアップデート時、またはセルでのシステム情報のアップデート時に、セルを共有する全てのＰＬＭＮに対するＰＬＭＮ別に前記受信されたＳＳＡＣ禁止情報をＵＥのＭＭＴＥＬ層に伝達し、Ｒ−ＰＬＭＮを表すことができる。
【０１４４】
ＵＥのＭＭＴＥＬ層は、ＭＭＴＥＬ音声またはＭＭＴＥＬビデオのような特定のサービス／アプリケーションに対するサービス開始を探知する。ステップＳ３３０において、ＵＥのＭＭＴＥＬ層は、（全てのＰＬＭＮのＳＳＡＣ禁止情報の内で）Ｒ−ＰＬＭＮに該当するＳＳＡＣ禁止情報を使用してＳＳＡＣ禁止点検を行う。ＵＥがＳＳＡＣ禁止点検を通過すれば、ステップＳ３４０において、ＵＥのＭＭＴＥＬ層は、ＵＥのＮＡＳ層にセッションの開始に対して知らせ、その後、ステップＳ３５０において、ＵＥのＮＡＳ層は、ＵＥのＲＲＣ層にサービス要求を送信する。
【０１４５】
ステップＳ３６０において、ＵＥのＲＲＣ層は、ＡＣＢ点検を行う。他の方法として、ＵＥのＲＲＣ層は、Ｒ−ＰＬＭＮに対するＡＣＢ省略ビットによってＡＣＢ点検を省略できる。Ｒ−ＰＬＭＮに対する前記ＡＣＢ省略ビットは、システム情報を介して受信されることができる。ステップＳ３７０において、ＵＥがＡＣＢ点検を通過する場合、ＵＥのＲＲＣ層は、ＲＲＣ連結要求メッセージをｅＮＢに送信することができる。
【０１４６】
図９は、本発明の一実施形態によって特定のＰＬＭＮに対する禁止情報を送信する方法の例を見せる。
【０１４７】
ステップＳ４００において、ＵＥの下位層、すなわち、ＲＲＣ層は、複数のＰＬＭＮに対する禁止情報を含むシステム情報をｅＮＢから受信することができる。前記禁止情報は、ＳＳＡＣ禁止情報でありうる。前記システム情報は、ＳＩＢ２でありうる。前記複数のＰＬＭＮは、セルを共有できる。
【０１４８】
ステップＳ４１０において、ＵＥの下位層が複数のＰＬＭＮに対する禁止情報のうち、特定のＰＬＭＮに対する禁止情報をＵＥの上位層、すなわち、ＭＭＴＥＬ層に伝達する。上位層からの特定のＰＬＭＮに対する禁止情報の要求があるようになると、ＵＥの下位層は、ＰＬＭＮ選択または再選択、セルでの禁止情報アップデート、またはセルでのシステム情報のアップデートの際に特定のＰＬＭＮに対する禁止情報を伝達できる。前記特定のＰＬＭＮは、前記上位層により選択されることができる。前記特定のＰＬＭＮは、Ｒ−ＰＬＭＮでありうる。
【０１４９】
ＵＥの下位層は、ＵＥのＮＡＳ層からサービス要求をさらに受信することができる。ＵＥの下位層は、ＡＣＢ点検をさらに行うことができる。ＵＥの下位層は、さらに特定のＰＬＭＮのＡＣＢ省略ビットによってＡＣＢ点検の実行を省略できる。ＵＥの下位層は、ＲＲＣ連結要求メッセージをｅＮＢにさらに送信することができる。
【０１５０】
本発明の一実施形態によれば、表１において説明されたＳＩＢ２は、表２のように修正され得る。
【０１５１】
【表２−１】
0006522733.tif 000004
【表２−２】
0006522733.tif 000005
【０１５２】
表２を参照すれば、ＳＩＢ２は、複数のＰＬＭＮに対する禁止情報を表す「ａｃ−ＢａｒｒｉｎｇＰｅｒＰＬＭＮ−Ｌｉｓｔ−ｒ１２」ＩＥをさらに含み、特定のＰＬＭＮに対する禁止情報を含むようになる。ＵＥの下位層は、特定のＰＬＭＮに対する禁止情報を伝達でき、前記情報は、「ｐｌｍｎ−ＩｄｅｎｔｉｔｙＩｎｄｅｘ」ＩＥにより特定され得る。
【０１５３】
本発明に係るＳＳＡＣに関係されたパラメータの処理は、次のとおりでありうる。上位層で要求があるようになると、ＵＥは、次の作業を行うであろう：
【０１５４】
１＞ＳｙｓｔｅｍＩｎｆｏｒｍａｔｉｏｎＢｌｏｃｋＴｙｐｅ２がａｃ−ＢａｒｒｉｎｇＰｅｒＰＬＭＮ−Ｌｉｓｔを含み、ａｃ−ＢａｒｒｉｎｇＰｅｒＰＬＭＮ−Ｌｉｓｔが上位層により選択されたＰＬＭＮに該当するｐｌｍｎ−ＩｄｅｎｔｉｔｙＩｎｄｅｘとともにＡＣ−ＢａｒｒｉｎｇＰｅｒＰＬＭＮ項目を含む場合：
【０１５５】
２＞上位層により選択されたＰＬＭＮに該当するｐｌｍｎ−ＩｄｅｎｔｉｔｙＩｎｄｅｘを有するＡＣ−ＢａｒｒｉｎｇＰｅｒＰＬＭＮ項目を選択する；
【０１５６】
２＞ＳｙｓｔｅｍＩｎｆｏｒｍａｔｉｏｎＢｌｏｃｋＴｙｐｅ２に含まれた共通接続禁止パラメータに関係なく、選択されたＡＣ−ＢａｒｒｉｎｇＰｅｒＰＬＭＮ項目（すなわち、本項目での接続禁止パラメータの存在または不在）を使用する；
【０１５７】
１＞変数ＢａｒｒｉｎｇＦａｃｔｏｒＦｏｒＭＭＴＥＬ−Ｖｏｉｃｅ、ＢａｒｒｉｎｇＴｉｍｅＦｏｒＭＭＴＥＬ−Ｖｏｉｃｅ、ＢａｒｒｉｎｇＦａｃｔｏｒＦｏｒＭＭＴＥＬ−Ｖｉｄｅｏ、及びＢａｒｒｉｎｇＴｉｍｅＦｏｒＭＭＴＥＬ−Ｖｉｄｅｏを上位層に伝達する；
【０１５８】
図１０は、本発明の実施形態が実現される無線通信システムを示す。
【０１５９】
ｅＮＢ（８００）は、プロセッサ（ｐｒｏｃｅｓｓｏｒ；８１０）、メモリ（ｍｅｍｏｒｙ；８２０）、及び送受信部８３０を備えることができる。プロセッサ８１０は、本明細書において説明された機能、過程、及び／又は方法を実現するように構成されることができる。無線インターフェースプロトコルの層は、プロセッサ８１０により実現されることができる。メモリ８２０は、プロセッサ８１０と連結されて、プロセッサ８１０を駆動するための様々な情報を格納する。送受信部８３０は、プロセッサ８１０と連結されて、無線信号を送信及び／又は受信する。
【０１６０】
ＵＥ（９００）は、プロセッサ９１０、メモリ９２０、及び送受信部９３０を備えることができる。プロセッサ９１０は、本明細書において説明された機能、過程、及び／又は方法を実現するように構成されることができる。無線インターフェースプロトコルの層は、プロセッサ９１０により実現されることができる。メモリ９２０は、プロセッサ９１０と連結されて、プロセッサ９１０を駆動するための様々な情報を格納する。送受信部９３０は、プロセッサ９１０と連結されて、無線信号を送信及び／又は受信する。
【０１６１】
プロセッサ８１０、９１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、及び／又はデータ処理装置を備えることができる。メモリ８２０、９２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体、及び／又は他の格納装置を備えることができる。送受信部８３０、９３０は、無線周波数信号を処理するためのベースバンド回路を備えることができる。実施形態がソフトウェアで実現されるとき、前述した技法は、前述した機能を果たすモジュール(過程、機能など)で実現されることができる。モジュールは、メモリ８２０、９２０に格納され、プロセッサ８１０、９１０により実行されることができる。メモリ８２０、９２０は、プロセッサ８１０、９１０の内部または外部にありうるし、よく知られた様々な手段でプロセッサ８１０、９１０と連結されることができる。
【０１６２】
前述した例示的なシステムにおいて、前述した本発明の特徴によって実現されることができる方法は、流れ図に基づいて説明された。便宜上、方法は、一連のステップまたはブロックで説明したが、請求された本発明の特徴は、ステップまたはブロックの順序に限定されるものではなく、あるステップは、他のステップと、前述と異なる順序にまたは同時に発生できる。また、当業者であれば、流れ図に示すステップが排他的でなく、他のステップが含まれるか、流れ図の１つまたはそれ以上のステップが本発明の範囲に影響を及ぼさずに削除可能であることを理解することができる。
【図１】
0006522733.tif 000006
【図２】
0006522733.tif 000007
【図３】
0006522733.tif 000008
【図４】
0006522733.tif 000009
【図５】
0006522733.tif 000010
【図６】
0006522733.tif 000011
【図７】
0006522733.tif 000012
【図８】
0006522733.tif 000013
【図９】
0006522733.tif 000014
【図１０】
0006522733.tif 000015